(57)【要約】【課題】作業効率を向上させることができる情報登録装置およびプログラムを提供する。【解決手段】無線ＩＣタグが保持するものであって各物体を個々に識別する識別情報または当該識別情報から導かれる情報を少なくとも含むレコードを、多数並べて生成されたリストを取得して表示した状態で、無線ＩＣタグの保持する情報を読み取った場合、読み取られた無線ＩＣタグの保持する情報を含むリストのレコードを読み取り順に最上部に移動させた状態に更新して表示する。これにより、大量の商品棚卸を行うような場合であっても、棚卸確認を正確かつ理解しやすい形で顧客に情報提供することができるので、効率的な棚卸情報の提供が可能になり、結果としてユーザの作業効率を向上させることができる。【選択図】図１３
2010140463.tif 000002
【特許請求の範囲】
【請求項１】
無線ＩＣタグが保持するものであって各物体を個々に識別する識別情報または当該識別情報から導かれる情報を少なくとも含むレコードを、多数並べて生成されたリストを作成するリスト作成手段と、
作成した前記リストを表示するリスト表示手段と、
物体に付された前記無線ＩＣタグの保持する識別情報を読み取る情報読取手段と、
読み取られた前記識別情報に応じたレコードを、前記リストに並べられた前記レコードの最上部に移動させた状態に更新して読み取り順に表示するリスト表示更新手段と、
を備えることを特徴とする情報登録装置。
【請求項２】
関連する物体のソートの宣言を受け付けるソート受付手段を更に備え、
前記リスト表示更新手段は、前記ソート宣言手段により関連する物体のソートの宣言が受け付けられた場合、読み取り順に最上部に移動させられたレコードにかかる物体と同系統の物体の情報を含む前記リストのレコードを、最上部に移動させたレコードの下部にまとめて移動させた状態に更新して表示する、
ことを特徴とする請求項１に記載の情報登録装置。
【請求項３】
前記リスト表示更新手段は、予め取得した前記リストに含まれる計算上の在庫数である理論在庫数と、前記情報読取手段により読み取られた前記無線ＩＣタグが付された物体の読み取り個品数とが等しい情報を含む前記リストのレコードに対して、特殊な表示を行う、
ことを特徴とする請求項１または２記載の情報登録装置。
【請求項４】
前記無線ＩＣタグの保持する情報の読み取りを受け付ける読取受付手段を更に備え、
前記リスト表示更新手段は、前記読取受付手段により前記無線ＩＣタグの保持する情報の読み取りが受け付けられた場合、特殊表示されているレコードを、非表示に変更して表示する、
ことを特徴とする請求項３記載の情報登録装置。
【請求項５】
ネットワーク接続されたサーバから各種情報を取得する情報取得手段を更に備え、
前記リスト作成手段は、前記情報取得手段により取得した前記各種情報に従って前記リストを作成する、
ことを特徴とする請求項１ないし４のいずれか一記載の情報登録装置。
【請求項６】
前記リスト作成手段により作成される前記リストは、前記識別情報または当該識別情報から導かれる情報に対応付けられた前記識別情報毎の読み取り数および前記識別情報毎の理論数を含む、
ことを特徴とする請求項１ないし５のいずれか一記載の情報登録装置。
【請求項７】
コンピュータを、
無線ＩＣタグが保持するものであって各物体を個々に識別する識別情報または当該識別情報から導かれる情報を少なくとも含むレコードを、多数並べて生成されたリストを作成するリスト作成手段と、
作成した前記リストを表示するリスト表示手段と、
物体に付された前記無線ＩＣタグの保持する識別情報を読み取る情報読取手段と、
読み取られた前記識別情報に応じたレコードを、前記リストに並べられた前記レコードの最上部に移動させた状態に更新して読み取り順に表示するリスト表示更新手段と、
として機能させることを特徴とするプログラム。
【発明の詳細な説明】
【技術分野】
【０００１】
本発明は、棚卸情報などの情報の登録を行う情報登録装置およびプログラムに関する。
【背景技術】
【０００２】
近年、ＩＣチップとアンテナを内蔵し、専用のリーダライタとアンテナを介して非接触で通信を行うことにより、ＩＣチップのメモリに情報が書き込まれたり、同メモリに記憶されている情報が読取られたりする小型の媒体が開発されている。この媒体は、予め製造段階で固有の識別情報いわゆるＩＤが書換え不能に記憶されており、リーダライタは、このＩＤを基に媒体を個々に認識して情報の読取りや書込みを行う。そこで、この媒体を認識が必要な対象物に付すとともに、この対象物に関する情報をＩＣチップで記憶することによって、リーダライタに接続されたホストは、リーダライタで読取られた媒体からの情報により当該媒体が付された対象物を特定することができる。このため一般に、この種の媒体は、ＲＦＩＤ（Radio  Frequency  Identification）等と称され、物流情報管理や個人情報管理などの様々な情報管理システムでの利用が提案されている。
【０００３】
ＲＦＩＤは、従来のバーコードシステムのように、１つ１つの荷札にリーダライタをあてる必要がないため、離れた場所から複数の荷札をまとめて読み込むことができ、かつ、複数の荷札に対してまとめて書き込むことができる。例えば、特許文献１には、商品棚上の商品に貼り付けられたＲＦＩＤタグに対してハンディターミナル（ＲＦＩＤリーダライタ）による無線通信で一斉に情報の読み出しおよび書き込みを行うことにより、商品在庫数を把握可能にした在庫管理システムが開示されている。
【発明の概要】
【発明が解決しようとする課題】
【０００４】
近年、上述したような在庫管理システムを用いる流通小売店舗内には、膨大な数の商品があふれている。一方、ＲＦＩＤタグは、ＪＡＮコードのような品番単位ではなく個品管理を目的として導入されることが多い。その為、各商品に貼り付けられたＲＦＩＤタグ（個品タグ）をハンディターミナル（ＲＦＩＤリーダライタ）で読み取ると、膨大な量の商品情報を取得することとなる。
【０００５】
しかしながら、上述のように在庫管理や棚卸に用いるＲＦＩＤリーダライタは、携帯可能なハンディターミナルである場合が多い。そのため、ＲＦＩＤリーダライタの表示画面は小型である場合が多いことから、大量の商品棚卸を行う場合の棚卸済み商品の確認などの画面表示が部分表示または微細表示となる。このような部分表示または微細表示では、棚卸確認や在庫確認が不正確になる恐れがある。
【０００６】
本発明は、上記に鑑みてなされたものであって、作業効率を向上させることができる情報登録装置およびプログラムを提供することを目的とする。
【課題を解決するための手段】
【０００７】
上述した課題を解決し、目的を達成するために、本発明の情報登録装置は、無線ＩＣタグが保持するものであって各物体を個々に識別する識別情報または当該識別情報から導かれる情報を少なくとも含むレコードを、多数並べて生成されたリストを作成するリスト作成手段と、作成した前記リストを表示するリスト表示手段と、物体に付された前記無線ＩＣタグの保持する識別情報を読み取る情報読取手段と、読み取られた前記識別情報に応じたレコードを、前記リストに並べられた前記レコードの最上部に移動させた状態に更新して読み取り順に表示するリスト表示更新手段と、を備える。
【０００８】
また、本発明のプログラムは、コンピュータを、無線ＩＣタグが保持するものであって各物体を個々に識別する識別情報または当該識別情報から導かれる情報を少なくとも含むレコードを、多数並べて生成されたリストを作成するリスト作成手段と、作成した前記リストを表示するリスト表示手段と、物体に付された前記無線ＩＣタグの保持する識別情報を読み取る情報読取手段と、読み取られた前記識別情報に応じたレコードを、前記リストに並べられた前記レコードの最上部に移動させた状態に更新して読み取り順に表示するリスト表示更新手段と、として機能させる。
【発明の効果】
【０００９】
本発明によれば、作業効率を向上させることができる、という効果を奏する。
【図面の簡単な説明】
【００１０】
【図１】図１は、本発明の実施の一形態にかかる棚卸処理システムの構成を示すブロック図である。
【図２】図２は、ＲＦＩＤタグの要部構成を示すブロック図である。
【図３】図３は、ＲＦＩＤハンディ端末の要部構成を示すブロック図である。
【図４】図４は、ＤＢサーバの要部構成を示すブロック図である。
【図５】図５は、ＤＢサーバのＨＤＤ装置に格納される情報を示す模式図である。
【図６】図６は、商品マスタのデータ構成を示す模式図である。
【図７】図７は、棚マスタのデータ構成を示す模式図である。
【図８】図８は、在庫テーブルのデータ構成を示す模式図である。
【図９】図９は、個品状況テーブルのデータ構成を示す模式図である。
【図１０】図１０は、棚卸処理システムの特徴的な機能構成を示すブロック図である。
【図１１】図１１は、棚卸処理の流れを示すフローチャートである。
【図１２】図１２は、ＲＦＩＤハンディ端末の操作パネルに表示された画面例を示す正面図である。
【図１３】図１３は、ＲＦＩＤハンディ端末の操作パネルに表示された画面例を示す正面図である。
【図１４】図１４は、ＲＦＩＤハンディ端末の操作パネルに表示された画面例を示す正面図である。
【図１５】図１５は、ＲＦＩＤハンディ端末の操作パネルに表示された画面例を示す正面図である。
【図１６】図１６は、ＲＦＩＤハンディ端末の操作パネルに表示された画面例を示す正面図である。
【発明を実施するための形態】
【００１１】
以下に添付図面を参照して、この発明にかかる情報登録装置およびプログラムの最良な実施の形態を詳細に説明する。
【００１２】
本発明の実施の一形態を図１ないし図１０に基づいて説明する。本実施の形態は、流通小売業界、特に衣料品業界で用いられるＲＦＩＤ（Radio  Frequency  Identification）処理システムを適用した例である。
【００１３】
ここで、ＲＦＩＤ（Radio  Frequency  Identification）タグとは、ＩＤ情報を埋め込んだタグ（微小な無線ＩＣチップ）から、電磁界や電波などを用いた近距離（周波数帯によって数ｃｍ〜数ｍ）の無線通信によって情報をやりとりすることによって、物体の識別に利用されるものである。
【００１４】
図１は、本発明の実施の一形態にかかる棚卸処理システム１００の構成を示すブロック図である。図１に示すように、棚卸処理システム１００は、データベースサーバ（以下、ＤＢサーバという）１０１と、情報登録装置であるＲＦＩＤハンディ端末１０２とを、無線ＬＡＮ（Local  Area  Network）などの無線通信ネットワーク１０３を介して無線接続することにより構成されている。
【００１５】
衣料品には商品情報等を書き込んだＲＦＩＤタグ２００が付されており、ＲＦＩＤハンディ端末１０２は、シャツやジャケット等の衣料品のＲＦＩＤタグ２００から、商品情報などの各種情報を読み取り、かつ、各種情報を書き込むものである。
【００１６】
図２は、ＲＦＩＤタグ２００の要部構成を示すブロック図である。図２に示すように、ＲＦＩＤタグ２００は、アンテナ２０１とＩＣチップ２０２とで構成されている。ＩＣチップ２０２は、アンテナ２０１で受信した変調波の整流と安定化を行うことによりＩＣチップ２０２の各部に電源を供給する電源生成部２０３、上記変調波を復調して制御部２０５へ送出する復調部２０４、制御部２０５から送出されたデータを変調してアンテナ２０１に送出する変調部２０６、復調部２０４で復調されたデータをメモリ部２０７に書込んだり、メモリ部２０７からデータを読み出して変調部２０６へ送出したりする制御部２０５、及びＥＥＰＲＯＭ等の不揮発性の書換え可能なメモリ部２０７等で構成されている。メモリ部２０７には、当該ＲＦＩＤタグ２００の製造段階で製造業者により割当て設定された固有の識別情報であるＩＤが予め記憶されている。また、ユーザが任意のデータを書込むことができるユーザ領域が確保されている。そしてこのユーザ領域に、ＲＦＩＤ個品コードが記憶されている。
【００１７】
図３は、ＲＦＩＤハンディ端末１０２の要部構成を示すブロック図である。図３に示すように、ＲＦＩＤハンディ端末１０２は、ＲＦＩＤリーダライタ１１０、アンテナ１１１、操作パネル１１２、無線通信インターフェイス１１３、記憶部１１４及び制御部１１５等を備えている。
【００１８】
アンテナ１１１は、ＲＦＩＤリーダライタ１１０の制御により変調波を発信し、この変調波を受信したＲＦＩＤタグ２００から発信される変調波を受信するものである。ＲＦＩＤリーダライタ１１０は、アンテナ１１１から発信される変調波が到達し得る交信領域内に存在するＲＦＩＤタグ２００のメモリ部２０７からデータを非接触で読取ったり、当該メモリ部２０７にデータを非接触で書き込んだりする。
【００１９】
操作パネル１１２には、タッチパネル、各種キー、表示装置等が設けられている。
【００２０】
無線通信インターフェイス１１３は、無線通信ネットワーク１０３を介してＤＢサーバ１０１を接続する。
【００２１】
記憶部１１４には、各種プログラムやＲＦＩＤ書込データが記憶されている。ここで、ＲＦＩＤ書込データは、ＲＦＩＤタグ２００のメモリ部２０７に書き込むべき情報である。記憶部１１４は、例えばフラッシュメモリであるＳＲＡＭ（Static  Random  Access  Memory）である。
【００２２】
制御部１１５は、ＲＦＩＤリーダライタ１１０、操作パネル１１２、無線通信インターフェイス１１３、記憶部１１４をそれぞれ制御するものである。
【００２３】
図４は、ＤＢサーバ１０１の要部構成を示すブロック図である。ＤＢサーバ１０１は、例えば一般的なパーソナルコンピュータであって、図４に示すように、制御部本体としてＣＰＵ（Central  Processing  Unit）１２２が搭載されている。そしてこのＣＰＵ１２２に、アドレスバス，データバス等のバスライン１２９を介して、ＲＯＭ（Read  Only  Memory）１２３，ＲＡＭ（Random  Access  Memory）１２４，ＨＤＤ（Hard  Disk  Drive）装置１２５，通信インターフェイス１２６，キーボード１２７及びディスプレイ１２８等が接続されている。
【００２４】
ＤＢサーバ１０１のＨＤＤ装置１２５には、図５に示すように、商品マスタ１３１、棚マスタ１３２、在庫テーブル１３３、個品状況テーブル１３４が格納されている。
【００２５】
図６に示すように、商品マスタ１３１には、商品を識別する「商品コード」に対応付けられて、「商品名」、「品番」、「カラー」、「カラーコード」、「サイズ」、「サイズコード」等の商品情報が格納されている。
【００２６】
図７に示すように、棚マスタ１３２は、商品が陳列される商品棚を識別する「棚ＩＤ」に対応付けられて、棚の名称である「棚名称」、「ＲＦＩＤ場所コード」等の商品棚情報が格納されている。
【００２７】
図８に示すように、在庫テーブル１３３は、商品の在庫数を格納するものであって、商品棚を識別する「棚ＩＤ」に対応付けられて、「商品コード」、「実在庫数」、「理論在庫数」等が格納されている。ここで、「実在庫数」は、ＲＦＩＤハンディ端末１０２によって実際に読み取られたＲＦＩＤタグ２００を「商品コード」毎にまとめた数である。一方、「理論在庫数」は、「商品コード」毎に仕入数から販売数を減算した数、すなわち計算上の「商品コード」毎の在庫数である。なお、在庫テーブル１３３の「理論在庫数」は、ネットワーク接続された図示しない他のサーバなどから仕入数および販売数を受信してＤＢサーバ１０１が算出して在庫テーブル１３３に格納するものであっても良いし、ネットワーク接続された図示しない他のサーバなどからＤＢサーバ１０１が「理論在庫数」を受信して在庫テーブル１３３に格納するものであっても良い。
【００２８】
図９に示すように、個品状況テーブル１３４は、ＲＦＩＤタグ２００が付された商品単品ごとに識別する「ＲＦＩＤ個品コード」に対応付けられて、「商品コード」、「棚卸ステータス」、「棚ＩＤ」等が格納されている。ここで、「棚卸ステータス」は、「ＲＦＩＤ個品コード」に棚卸がされているか否かを表すものである。
【００２９】
次に、本実施の形態の棚卸処理システム１００の特徴的な処理について説明する。ＲＦＩＤハンディ端末１０２の制御部１１５は、ＡＳＩＣやＣＰＵ等の処理装置、動作を制御する所定のプログラムが格納されたＲＯＭや当該処理装置のワーク領域となるＲＡＭ等の記憶装置を備えており（何れも図示せず）、当該処理装置と記憶装置に格納されたプログラムとの協働により、図１０に示すように、リスト作成手段であるリスト作成部１０、リスト表示手段であるリスト表示部２０、情報読取手段である情報読取部３０、リスト表示更新手段であるリスト表示更新部４０、ソート受付手段であるソート受付部５０、読取受付手段である読取受付部６０の各機能部を実現するものとする。
【００３０】
ＲＦＩＤハンディ端末１０２の制御部１１５が実行する処理の内、特徴的な処理である棚卸処理について図１１のフローチャートを参照して説明する。
【００３１】
図１１に示すように、ＲＦＩＤハンディ端末１０２の制御部１１５は、ＤＢサーバ１０１の商品マスタ１３１、棚マスタ１３２、在庫テーブル１３３、個品状況テーブル１３４から、棚卸処理に用いるデータを取得する（ステップＳ１）。
【００３２】
次いで、ステップＳ１で取得したデータを基にして、棚卸に用いるリストである「品番」毎の棚卸リストを作成して表示する（ステップＳ２：リスト作成部１０、リスト表示部２０）。図１２は、ＲＦＩＤハンディ端末１０２の操作パネル１１２に表示された画面例を示す正面図である。図１２に示す画面では、商品名として「品番」が表示されており、「品番」に対応付けられて、「カラーコード」、「サイズコード」、「個数」が表示されている。ここで「個数」は、商品コード毎の“理論在庫数”を分母に、“読み取り個品数”を分子に表示している。“読み取り個品数”は、ＲＦＩＤハンディ端末１０２による読み取りが進むと、最終的には前述した“実在庫数”となる。なお、ＲＦＩＤハンディ端末１０２によって実際に読み取られたＲＦＩＤタグ２００を「商品コード」毎にまとめて「実在庫数」を算出する処理動作は、例えばＲＦＩＤハンディ端末１０２の制御部１１５によって実行される。
【００３３】
なお、図１２に示すように、操作パネル１１２に表示された画面には、ＲＦＩＤタグ２００の読み取り開始を宣言する「読取開始」ボタンＢ１、関連商品のソートを宣言する「ソートＯＮ」ボタンＢ２、棚卸作業の確定を宣言する「仮確定」ボタンＢ３、ＲＦＩＤタグ２００の読み取り停止を宣言する「読取停止」ボタンＢ４などが表示されており、タッチパネルを介してユーザ操作を受け付ける。
【００３４】
そして、「読取開始」ボタンＢ１のユーザ操作によって所定の商品棚に陳列されている商品に付されたＲＦＩＤタグ２００の読み取りが開始され（ステップＳ３：情報読取部３０）、読み取り商品のＲＦＩＤタグ２００に格納されている「ＲＦＩＤ個品コード」がＲＦＩＤハンディ端末１０２の個品状況テーブル１３４にリストされている「ＲＦＩＤ個品コード」と合致すると判定した場合には（ステップＳ４のＹｅｓ）、図１３に示すように、読み取り商品の「品番」および関連するレコードを図１２に示す画面の棚卸リストに並べられたレコードの最上部に移動させた状態に更新して読み取り順に表示する（ステップＳ５：リスト表示更新部４０）。より具体的には、図１に示すような商品陳列棚Ａ，Ｂに陳列されている商品に付されたＲＦＩＤタグ２００がＲＦＩＤハンディ端末１０２によって読取走査されると、後にＲＦＩＤハンディ端末１０２によって読み取られたＲＦＩＤタグ２００が付されている商品が棚卸リストの最上位に表示されることになる。
【００３５】
なお、読み取り商品のＲＦＩＤタグ２００に格納されている「ＲＦＩＤ個品コード」がＲＦＩＤハンディ端末１０２の個品状況テーブル１３４にリストされている「ＲＦＩＤ個品コード」と合致した場合には、ＲＦＩＤハンディ端末１０２の個品状況テーブル１３４の「棚卸ステータス」を、棚卸がされたものとして“１”にする。このように「棚卸ステータス」を“１”にすることによって、当該商品単品（個品）について２重に計上されることを防止することができる。
【００３６】
また、読み取り商品のＲＦＩＤタグ２００に格納されている「ＲＦＩＤ個品コード」がＲＦＩＤハンディ端末１０２の個品状況テーブル１３４にリストされている「ＲＦＩＤ個品コード」と合致しないと判定した場合には（ステップＳ４のＮｏ）、当該「ＲＦＩＤ個品コード」の商品は、ここにあるべき商品ではないので無視する。
【００３７】
続くステップＳ６では、棚卸リストの「個数」の“理論在庫数”と“読み取り個品数”とが等しいか否かを判断する。
【００３８】
“理論在庫数”と“読み取り個品数”とが等しいと判断した場合には（ステップＳ６のＹｅｓ）、図１４に示すように、棚卸リストの「個数」の“理論在庫数”と“読み取り個品数”とが等しい読み取り商品の「品番（商品コード）」および関連するレコードを特殊な表示（例えば、ハイライト表示）を実行する（ステップＳ７）。
【００３９】
以上ステップＳ４〜Ｓ７の処理は、対象とする全ての商品のＲＦＩＤタグ２００を読み取るまで、または「読取停止」ボタンＢ４のユーザ操作によって所定の商品棚に陳列されている商品に付されたＲＦＩＤタグ２００の読み取りが停止されるまで（ステップＳ８のＹｅｓ）、繰り返される。なお、対象とする全ての商品のＲＦＩＤタグ２００についての読み取りは、読み取り終了音などを図示しないブザーなどから発生させれば良い。
【００４０】
その後、棚卸作業完了時に「仮確定」ボタンＢ３のユーザ操作によって仮確定処理を実行し（ステップＳ９）、仮確定した棚卸データをＤＢサーバ１０１に送信する（ステップＳ１０）。ＤＢサーバ１０１は、棚卸データを受信すると、所定のタイミングで棚卸データに基づいて在庫テーブル１３３を更新する。ここで、ＤＢサーバ１０１に送信される仮確定した棚卸データは、「ＲＦＩＤ個品コード」、「商品コード」、「商品コード」に対応付けられた「カラーコード」、「サイズコード」および「読み取り個品数（実在庫数）」などである。
【００４１】
なお、上述したような棚卸処理において、対象とする全ての商品のＲＦＩＤタグ２００を読み取るまで、または「読取停止」ボタンＢ４のユーザ操作によって所定の商品棚に陳列されている商品に付されたＲＦＩＤタグ２００の読み取りが停止された後（ステップＳ８のＹｅｓ）、再度ＲＦＩＤタグ２００の読み取り開始を宣言する「読取開始」ボタンＢ１がユーザにより操作されると（読取受付部６０）、ＲＦＩＤハンディ端末１０２の制御部１１５は、図１５に示すように、特殊な表示（例えば、ハイライト表示）された棚卸リストの「個数」の“理論在庫数”と“読み取り個品数”とが等しい読み取り商品の「品番」および関連するレコードを、非表示に変更して、棚卸リストを表示する。これにより、棚卸を行っていくと、次第に棚卸すべきリストが絞られて表示されることになる。
【００４２】
また、上述したような棚卸処理において、関連商品のソートを宣言する「ソートＯＮ」ボタンＢ２がユーザにより操作されると（ソート受付部５０）、ＲＦＩＤハンディ端末１０２の制御部１１５は、図１６に示すように、読み取り商品と同系統商品（同品番、別カラー、別サイズ）について、棚卸リストの最上位に表示されている読み取り商品の「品番」および関連するレコードの下部に、同系統商品の「品番」および関連するレコードをまとめて移動させて、棚卸リストを表示する。これにより、読み取り商品に関連する未読み取り商品は同じ商品棚にある確率が高いと予想されることから、読み取り商品に関連する未読み取り商品を確認しながら、棚卸処理を実行することができる。
【００４３】
このように本実施の形態によれば、無線ＩＣタグが保持するものであって各物体を個々に識別する識別情報または当該識別情報から導かれる情報を少なくとも含むレコードを、多数並べて生成されたリストを取得して表示した状態で、無線ＩＣタグの保持する情報を読み取った場合、読み取られた無線ＩＣタグの保持する情報を含むリストのレコードを読み取り順に最上部に移動させた状態に更新して表示することにより、大量の商品棚卸を行うような場合であっても、棚卸確認を正確かつ理解しやすい形で顧客に情報提供することができるので、効率的な棚卸情報の提供が可能になり、結果としてユーザの作業効率を向上させることができる。
【符号の説明】
【００４４】
１０      リスト作成手段
２０      リスト表示手段
３０      情報読取手段
４０      リスト表示更新手段
５０      ソート受付手段
６０      読取受付手段
１０２      情報登録装置
【先行技術文献】
【特許文献】
【００４５】
【特許文献１】特開２００８−２１４０９８号公報
【図１】
2010140463.tif 000003
【図２】
2010140463.tif 000004
【図３】
2010140463.tif 000005
【図４】
2010140463.tif 000006
【図５】
2010140463.tif 000007
【図６】
2010140463.tif 000008
【図７】
2010140463.tif 000009
【図８】
2010140463.tif 000010
【図９】
2010140463.tif 000011
【図１０】
2010140463.tif 000012
【図１１】
2010140463.tif 000013
【図１２】
2010140463.tif 000014
【図１３】
2010140463.tif 000015
【図１４】
2010140463.tif 000016
【図１５】
2010140463.tif 000017
【図１６】
2010140463.tif 000018